(57)【特許請求の範囲】
【請求項１】
映像信号と、前記映像信号のアスペクト比を判別する判別フラグとを含む情報信号を、毎秒６０フィールドの飛び越し走査映像信号として再生する飛び越し走査映像信号再生手段と、前記判別フラグを読み取るフラグ判別手段と、前記飛び越し走査映像信号のアスペクト比を変換する第１のアスペクト比変換手段と、前記第１のアスペクト比変換手段の出力を出力する第１の映像出力端子と、前記第１の映像出力端子に接続されるべき受像器のアスペクト比を設定する第１の設定手段と、前記第１の設定手段と前記フラグ判別手段出力とによって、前記第１のアスペクト比変換手段の出力アスペクト比を制御する第１の制御手段と、前記第１のアスペクト比変換手段の出力を順次走査映像信号に変換する順次走査映像信号変換手段と、前記順次走査映像信号変換手段の出力を前記第１のアスペクト比とは異なるアスペクト比に変換する第２のアスペクト比変換手段と、前記第２のアスペクト比変換手段の出力を出力する第2の映像出力端子と、前記第２の映像出力端子に接続されるべき受像器のアスペクト比を設定する第２の設定手段と、前記第２の設定手段と前記フラグ判別手段出力とによって、前記第２のアスペクト比変換手段の出力アスペクト比を制御する第２の制御手段とを備えた事を特徴とする映像信号再生装置。
【請求項２】
第１のアスペクト比変換手段は、入力される映像信号を垂直方向に圧縮し、余白部分を黒画像とする機能を持ち、第２のアスペクト比変換手段は、入力される映像信号を水平方向に圧縮し、余白部分を黒画像とする事を特徴とする請求項１記載の映像信号再生装置。
【請求項３】
第１のアスペクト比変換手段は、入力される映像信号を垂直方向に圧縮し、圧縮した結果の余白部分を黒画像とし、第２のアスペクト比変換手段は、入力される映像信号を水平方向に圧縮し圧縮した結果の余白部分を黒画像とする、もしくは垂直方向に画像を拡大するの何れかを行う事を特徴とする請求項１記載の映像信号再生装置。
【請求項４】
判別フラグは、映像信号のアスペクト比が４：３の場合、アスペクト比が１６：９の場合、及びアスペクト比４：３の画面の中に１６：９の映像情報がある場合の内少なくとも２つ以上の場合を判別する為の信号である事を特徴とする請求項１〜３何れかに記載の映像信号再生装置。
【発明の詳細な説明】
【０００１】
【発明の属する技術分野】
本発明は、テープ媒体もしくはディスク媒体等に記録、または衛星放送もしくは地上波放送など、映画素材やビデオ素材等様々な映像情報を転送して映像信号を順次走査再生する映像信号再生装置に関する。
【０００２】
【従来の技術】
従来、テープ媒体もしくはディスク媒体に記録、または衛星放送、有線放送もしくは地上波放送等の映像出力は、テレビ受像機で再生出来るよう飛び越し走査で出力されるのが普通であるが、近年、マルチスキャン対応のモニタ、プロジェクタまたはコンピュータ用モニタ等の普及に伴って、これらの飛び越し走査映像信号を順次走査信号に変換する映像信号再生装置が導入されつつある。
【０００３】
図１２は、本発明に関わる技術の従来の一例として、映像信号と当該映像信号のアスペクト比を判別する判別フラグとを有し、円盤状のディスクに収録された情報信号を再生する映像信号再生装置の構成を示すブロック図である。図１２において、１はディスクで、映像信号と、当該映像信号のアスペクト比を示す判別フラグとが、予め記録（または再生）に適した信号形態に符号化され、変調されて記録されている。２はピックアップで、ディスク１に記録された情報信号を電気的信号に変換する。３はディスク回転装置で、ディスク１を再生に適した回転数で回転させる。４は飛び越し走査映像信号再生回路で、ディスク１に記録された映像信号を復調し、復号し、飛び越し走査映像信号として出力する。５は素材判別回路で、ピックアップ２の出力より、ディスク１に記録された判別フラグを読み取る。
【０００４】
６は第１のアスペクト比変換回路で、第１の制御回路１２により制御され、入力される映像信号のアスペクト比を変換して出力する。７はＮＴＳＣエンコーダで、飛び越し走査映像信号をＮＴＳＣビデオフォーマットに変換し出力する。８は飛び越し走査映像出力端子で、これより再生された飛び越し走査映像出力が、飛び越し走査映像用モニタ（図示は省略）にモニタに出力される。
【０００５】
９は順次走査映像信号変換回路で、第１のアスペクト比変換回路６の出力を順次走査映像信号に変換し出力する。１０は色差コンバータで、順次走査映像信号変換回路９の出力をアナログ色差信号に変換し出力する。１１は順次走査映像出力端子で、これより変換された順次走査映像信号が、順次走査映像用モニタ（図示は省略）に出力される。
【０００６】
１２は第１の制御回路で、素材判別回路５の出力と、第１のアスペクト比設定手段１３の出力とによって、第１のアスペクト比変換回路６を制御する。１３は第１のアスペクト比設定手段であり、使用者が受像機のアスペクト比を設定する為の物である。
【０００７】
以上の様に構成された従来の映像信号再生装置について、その動作を図１３〜図２１を参照しながら説明する。
【０００８】
図１３は、従来の映像信号再生装置のディスク１に記録される映像信号の構造を示す模式図である。飛び越し走査映像信号では、１／６０秒で１フィールドの画像が構成され、それが２枚合わされて１フレームの画像となる。２枚のフィールドの縦画素数はそれぞれ２４０であり、互いの画素はそれぞれの画素の縦方向の間を埋めあう様な配置になる。順次走査映像信号では１フレームが１／６０秒で縦画素数は４８０である。このように、垂直周波数は共に１／６０秒であり、水平走査線数は飛び越し走査映像信号に比べ順次走査映像信号は倍になるので、水平走査周波数は、飛び越し走査映像信号が約１５．７５ＫＨｚであるのに対して、順次走査映像信号では約３１．５ＫＨｚになる。
【０００９】
図１４は、従来の映像信号再生装置の映像信号のアスペクト比を示す模式図である。図１４ａ）に示す様に、ディスク１に記録された映像ソースの映像信号には３つの形態がある。図１４ａ）に示すａ−１は４：３の画面一杯に情報を持つ素材（以後４：３フル画像と称す）であり、ａ−２は４：３の画面の中央部に１６：９の画像を持ち、上下が黒で塗りつぶされた素材（以後４：３レターボックス画像と称す）であり、ａ−３は１６：９の画面一杯に情報を持つ素材（以後１６：９画像と称す）である。
【００１０】
図１４ｂ）は、飛び越し走査映像信号用モニタのアスペクト比を示す。図１４ｂ）に示す様に、飛び越し走査映像信号用モニタには、ｂ−１に示す４：３のアスペクト比のものと、ｂ−２に示す１６：９のアスペクト比のものとがある。
【００１１】
図１４ｃ）は、順次走査映像信号用モニタのアスペクト比を示す。１４図ｃ）に示す様に、順次走査映像信号用モニタには、ｃ−１に示す４：３のアスペクト比のものと、ｃ−２に示す１６：９のアスペクト比のものとがある。
【００１２】
飛び越し走査映像信号再生回路４は、ピックアップ２の出力により、ディスク１に記録されている信号を読み取り、飛び越し映像信号を再生し、第１のアスペクト比変換回路６に出力する。素材判別回路５は、ピックアップ２の出力により判別フラグを読み取り映像信号の種類を判別し、判別信号として、第１の制御回路１２に出力する。
【００１３】
使用者は、映像信号を出画しようとしているモニタのアスペクト比を、第１のアスペクト比設定手段１３により設定する。第１の制御回路１２は、素材判別回路５の出力と第１のアスペクト比設定手段１３の出力とによって、第１のアスペクト比変換回路６を制御する。
【００１４】
図１５は、従来の映像信号再生装置の第１のアスペクト比変換回路６の動作を説明する模式図である。第１のアスペクト比変換回路６は４：３のモニタを想定し、１６：９のアスペクト比の素材を垂直方向に圧縮する機能を持つ。即ち、１６：９の素材を４：３のモニタにて正しいアスペクト比で表示するために、入力される映像信号の４ライン分の情報からフィルタ処理を行い、３ライン分の情報を生成する。このような処理を全画面において行うと、画面全体が上下に圧縮され、アスペクト比的には正しく１６：９の画面に変換できるが、上下に空白部分ができるので、その部分を黒画像とする。このアスペクト比変換機能は、第１の制御回路１２によって、作動と非作動状態を選択する事ができる。非作動の場合には第１のアスペクト比変換回路６は、入力された映像信号のアスペクト比変換をせずにそのまま出力する。
【００１５】
図１２において、使用者は、出画しようとするモニタのアスペクト比が４：３であるか１６：９であるかを、第１のアスペクト比設定手段１３で設定する。一方、素材判別回路５は、映像ソースのアスペクト比が４：３フル画像なのか、４：３レターボックス画像なのか、１６：９画像なのかの何れかを、第１の制御回路１２に出力する。第１の制御回路１２は、素材判別回路５が映像ソースのアスペクト比が４：３フル画像、もしくは４：３レターボックス画像を示している場合には、第１のアスペクト比変換回路６のアスペクト変換動作を非作動とする。また、第１の制御回路１２は、素材判別回路５が映像ソースのアスペクト比が１６：９を示している場合で、かつ第１のアスペクト比設定手段出力が１６：９の場合には、第１のアスペクト比変換回路６のアスペクト比変換動作を非作動とする。なお、第１の制御回路１２は、素材判別回路５が映像ソースのアスペクト比が１６：９を示している場合で、かつ第１のアスペクト比設定手段出力が４：３の場合には、第１のアスペクト比変換回路６のアスペクト比変換動作を作動とする。
【００１６】
ＮＴＳＣエンコーダ７は、第１のアスペクト比変換回路６の出力をＮＴＳＣビデオフォーマットに変換し、飛び越し走査映像出力端子８より、飛び越し走査映像出力が飛び越し走査映像用モニタ（図示は省略）に出力される。
【００１７】
次に、従来の映像信号再生装置における映像ソースが４：３フル画像、４：３レターボックス画像及び１６：９画像それぞれについて、飛び越し走査映像用モニタの画角に対応する場合を図１６〜図１８、及び連続走査映像用モニタの画角に対応する場合を図１９〜図２１を用いて以下説明する。
【００１８】
図１６は、従来の映像信号再生装置における４：３フル画像の映像ソースの場合の、飛び越し走査映像用モニタに出画されるアスペクト比を説明する模式図である。図１６のｂ−１に示すように、４：３のモニタではアスペクト比が正しく表示されている。ところが、同図のｂ−２に示すように、１６：９のモニタではアスペクト比が正しく表示されず、横に引き延ばされた様に出画される。一方、飛び越し走査映像用モニタでは、従来の飛び越し走査映像信号の標準的アスペクト比が４：３のため、４：３出力切り替え機能を装備しており、飛び越し走査映像用モニタが備える４：３出力切り替え機能を使用することによって、同図のｂ−３に示すように、正しく４：３のアスペクト比で表示されるようになる。
【００１９】
図１７は、従来の映像信号再生装置における４：３レターボックス画像の映像ソースの場合の、飛び越し走査映像用モニタに出画されるアスペクト比を説明する模式図である。図１７のｂ−１に示すように、４：３のモニタではアスペクト比が正しく表示されている。そころが、同図のｂ−２に示すように、１６：９のモニタではアスペクト比が正しく表示されず、横に引き延ばされた様に出画される。一方、飛び越し走査映像用モニタでは、従来の飛び越し走査映像信号の標準的アスペクト比が４：３のため、４：３レターボックス映像出力切り替え機能を装備しており、飛び越し走査映像用モニタが備える４：３出力切り替え機能を使用することによって、同図のｂ−３に示すように、画面が上下に拡大され、正しく１６：９のアスペクト比で画面一杯に表示されるようになる。
【００２０】
図１８は、従来の映像信号再生装置における１６：９画像の映像ソースの場合の、飛び越し走査映像用モニタに出画されるアスペクト比を説明する模式図である。図１８のｂ−１に示すように、４：３のモニタではそのままではアスペクト比が正しく表示されず、縦に引き延ばされた様に出画される。ところが、使用者が第１のアスペクト比設定手段に接続されるモニタが１６：９である事を設定する事によって、第１のアスペクト比変換回路６が動作し、アスペクト比変換されて、同図のｂ−４に示すように正しく表示される。また、同図のｂ−２に示すように、１６：９のモニタでは、アスペクト比が正しく１６：９のアスペクト比で表示される。
【００２１】
即ち、従来の映像信号再生装置においては飛び越し走査映像用モニタでは、４：３フル画像、４：３レターボックス画像、及び１６：９画像の３種類の映像ソースと、４：３及び１６：９の２種類の映像用モニタの全ての組み合わせにおいても、正しいアスペクト比で出画する事が可能である。
【００２２】
一方、第１のアスペクト比変換回路６の出力は、順次走査映像信号変換回路９に入力される。順次走査映像信号変換回路９では、入力された飛び越し走査映像信号を、順次走査映像信号に変換して出力する。色差コンバータ１０は、順次走査映像信号を色差映像信号に変換し、順次走査映像出力端子１１より、順次走査映像出力が順次走査映像用モニタ（図示は省略）に出力される。
【００２３】
図１９は、従来の映像信号再生装置における４：３フル画像の映像ソースの場合の、順次走査映像用モニタに出画されるアスペクト比を説明する模式図である。図１９のｃ−１に示すように、４：３のモニタではアスペクト比が正しく表示されている。ところが、同図ｃ−２に示すように、１６：９のモニタではアスペクト比が正しく表示されず、横に引き延ばされた様に出画される。ここで順次走査映像用１６：９モニタは、ハイビジョン信号を想定したモニタで、ハイビジョン映像信号の標準的アスペクト比が１６：９のため、４：３出力モードを装備しておらず、正しいアスペクト比で表示されない。
【００２４】
図２０は、従来の映像信号再生装置における４：３レターボックス画像の映像ソースの場合の、順次走査映像用モニタに出画されるアスペクト比を説明する模式図である。図２０のｃ−１に示すように、４：３のモニタではアスペクト比が正しく表示されている。ところが、同図のｃ−２に示すように、１６：９のモニタではアスペクト比が正しく表示されず、横に引き延ばされた様に出画される。上述したように、順次走査映像用１６：９モニタは、ハイビジョン信号を想定したモニタで、ハイビジョン映像信号の標準的アスペクト比が１６：９のため、４：３レターボックス出力モードを装備しておらず、正しいアスペクト比で表示されない。
【００２５】
図２１は、従来の映像信号再生装置における１６：９画像の映像ソースの場合の、順次走査映像用モニタに出画されるアスペクト比を説明する模式図である。図２１のｃ−１に示すように、４：３のモニタではそのままではアスペクト比が正しく表示されず、縦に引き延ばされた様に出画される。ところが、使用者が第１のアスペクト比設定手段に接続されるモニタが、１６：９である事を設定する事によって、第１のアスペクト比変換回路６が動作し、アスペクト比変換されて同図のｃ−４に示すように正しく表示される。また、同図のｃ−３に示すように、１６：９のモニタではアスペクト比が正しく１６：９のアスペクト比で表示される。
【００２６】
即ち、従来の映像信号再生装置においては飛び越し走査映像用モニタでは、４：３フル画像、４：３レターボックス画像、及び１６：９画像の３種類の映像ソースと、４：３及び１６：９の２種類の映像用モニタの全ての組み合わせにおいても、正しいアスペクト比で出画する事が可能であるが、順次走査映像用モニタでは、４：３フル画像及び４：３レターボックス画像の映像ソースと、１６：９の映像用モニタとの組み合わせにおいて正しいアスペクト比で出画する事ができず、飛び越し走査と順次走査で画像の見え方が異なる。特に飛び越し走査モニタと順次走査モニタの両者が接続されている場合には、その見え方の違いが使用者に違和感を与える。
【００２７】
【発明が解決しようとする課題】
以上のように、従来の映像信号再生装置においては、順次走査映像用モニタでは、４：３フル画像もしくは４：３レターボックス画像の映像ソースと、１６：９の映像用モニタとの組み合わせでは、正しいアスペクト比で出画する事ができず、飛び越し走査と順次走査で画像の見え方が異なるという問題点を持っている。今後は、４：３フル画像、４：３レターボックス画像及び１６：９画像の３種類の映像ソースと、４：３及び１６：９との２種類の順次走査映像用モニタの全ての組み合わせにおいて、正しいアスペクト比で出画し、飛び越し走査と順次走査で画像の見え方が異ならない様に映像信号を同時に出力する事が可能な映像信号再生装置の導入が要求されている。
【００２８】
本発明は、上記従来技術の課題を解消するもので、アスペクト比が異なる映像ソースとアスペクト比が異なるモニタとの全ての組み合わせにおいて、飛び越し走査、順次走査のどちらにおいても正しいアスペクト比で出画する事が可能で、飛び越し走査と順次走査で画像の見え方が異ならない様に同時に出力する事が可能な映像信号再生装置の提供を目的とする。
【００２９】
【発明を解決するための手段】
この課題を解決するために本発明は、映像信号と、前記映像信号のアスペクト比を判別する判別フラグとを含む情報信号を、毎秒６０フィールドの飛び越し走査映像信号として再生する飛び越し走査映像信号再生手段と、前記判別フラグを読み取るフラグ判別手段と、前記飛び越し走査映像信号のアスペクト比を変換する第１のアスペクト比変換手段と、該第１のアスペクト比変換手段出力を出力する第１の映像出力端子と、前記第１の映像出力端子に接続されるべき受像器のアスペクト比を設定する第１の設定手段と、前記第１の設定手段と前記フラグ判別手段出力とによって、前記第１のアスペクト比変換手段の出力アスペクト比を制御する第１の制御手段と、前記第１のアスペクト比変換手段の出力を順次走査映像信号に変換する順次走査映像信号変換手段と、前記順次走査映像信号変換手段の出力を前記第１のアスペクト比とは異なるアスペクト比に変換する第２のアスペクト比変換手段と、前記第２のアスペクト比変換手段出力を出力する第2の映像出力端子と、前記第２の映像出力端子に接続されるべき受像器のアスペクト比を設定する第２の設定手段と、前記第２の設定手段と前記フラグ判別手段出力とによって、前記第２のアスペクト比変換手段の出力アスペクト比を制御する第２の制御手段とを備えた映像信号再生装置である。
【００３０】
また、第１のアスペクト比変換手段は、
入力される映像信号を垂直方向に圧縮し、余白部分を黒画像とする機能を持ち、第２のアスペクト比変換手段は、入力される映像信号を水平方向に圧縮し、余白部分を黒画像とする機能を持つ、
または、
入力される映像信号を垂直方向に圧縮し、圧縮した結果の余白部分を黒画像とし、第２のアスペクト比変換手段は、入力される映像信号を水平方向に圧縮し圧縮した結果の余白部分を黒画像とする、もしくは垂直方向に画像を拡大するの何れかを行う機能の何れかを有する映像信号再生装置である。
【００３１】
【発明の実施の形態】
本発明の請求項１に記載の発明は、映像信号と、前記映像信号のアスペクト比を判別する判別フラグとを含む情報信号を、毎秒６０フィールドの飛び越し走査映像信号として再生する飛び越し走査映像信号再生手段と、前記判別フラグを読み取るフラグ判別手段と、前記飛び越し走査映像信号のアスペクト比を変換する第１のアスペクト比変換手段と、該第１のアスペクト比変換手段出力を出力する第１の映像出力端子と、前記第１の映像出力端子に接続されるべき受像器のアスペクト比を設定する第１の設定手段と、前記第１の設定手段と前記フラグ判別手段出力とによって、前記第１のアスペクト比変換手段の出力アスペクト比を制御する第１の制御手段と、前記第１のアスペクト比変換手段の出力を順次走査映像信号に変換する順次走査映像信号変換手段と、前記順次走査映像信号変換手段の出力を前記第１のアスペクト比とは異なるアスペクト比に変換する第２のアスペクト比変換手段と、前記第２のアスペクト比変換手段出力を出力する第2の映像出力端子と、前記第２の映像出力端子に接続されるべき受像器のアスペクト比を設定する第２の設定手段と、前記第２の設定手段と前記フラグ判別手段出力とによって、前記第２のアスペクト比変換手段の出力アスペクト比を制御する第２の制御手段とを備えた事により、第２のアスペクト比変換手段に対応した映像信号を、順次走査映像用モニタに正しいアスペクト比の画像を再生できる。即ち、様々な種類のアスペクト比を持つ映像ソースを、飛び越し走査映像用モニタ及び順次走査映像用モニタの何れにでも、正しいアスペクト比で同時に出画する事が可能な映像信号再生装置を提供する。
【００３２】
本発明の請求項２に記載の発明は、上記第１のアスペクト比変換手段は、入力される映像信号を垂直方向に圧縮し、余白部分を黒画像とする機能を持ち、上記第２のアスペクト比変換手段は、入力される映像信号を水平方向に圧縮し、余白部分を黒画像とする機能を備えた事により、モニタ画面一杯のアスペクト比を有する映像信号を、飛び越し走査映像用モニタ及び順次走査映像用モニタ何れにも正しいアスペクト比で画像を再生することができ、例えば順次走査変換後の画像に対して、第２のアスペクト比変換手段が４：３の画像を水平方向に圧縮し出力する事により、１６：９の順次走査用モニタに正しいアスペクト比で４：３画像が出画できる様にアスペクト比変換をし、画像のアスペクト比が４：３の場合と１６：９の場合と、４：３と１６：９との２種類の順次走査映像用モニタの全ての組み合わせにおいて、正しいアスペクト比で出画する事が可能な映像信号再生装置を提供する。
【００３３】
本発明の請求項３に記載の発明は、上記第１のアスペクト比変換手段は、入力される映像信号を垂直方向に圧縮するもので、上下の余白部分を黒画像とする機能を持ち、上記第２のアスペクト比変換手段は、入力される映像信号を水平方向に圧縮し、左右の余白部分を黒画像とするか、もしくは垂直方向に画像を拡大する機能の何れかを持つ事により、モニタ画面一杯のアスペクト比を有する映像信号、またはモニタ画面に上下に信号が入力されていないアスペクト比を有する映像信号の何れにも、飛び越し走査映像用モニタ及び順次走査映像用モニタ何れにも正しいアスペクト比で画像を再生することができ、例えば順次走査変換後の画像に対して、第２のアスペクト比変換回路が４：３フル画像の場合には、水平方向に圧縮し出力し、４：３レターボックス画像の場合には垂直方向に拡大し出力する事により、１６：９の順次走査モニタ上に、正しいアスペクト比で４：３フル画像もしくは４：３レターボックス画像が出画できる様にアスペクト比変換をし、映像ソースが４：３フル画像の場合と４：３レターボックス画像の場合と１６：９画像の３種類の場合と、４：３と１６：９との２種類の順次走査映像用モニタの全ての組み合わせにおいて、正しいアスペクト比で出画する事が可能な映像信号再生装置を提供する。
【００３４】
【実施例】
以下、本発明の一実施例について、映像信号と当該映像信号のアスペクト比を判別する判別フラグとを含む情報信号が、円盤状のディスクに収録された信号を再生する場合について図１〜１１を用いて説明する。
【００３５】
図１は本発明の一実施例の映像信号再生装置の構成を示すブロック図である。図１において、１はディスクで、映像信号と、映像信号のアスペクト比を示す判別フラグが、予め記録（または再生）に適した信号形態に符号化され、変調されて記録されている。２はピックアップで、ディスク１に記録された信号を電気的信号に変換する。３はディスク回転装置で、ディスク１を再生に適した回転数で回転させる。
【００３６】
４は飛び越し走査映像信号再生回路で、ディスク１に記録された映像信号を復調し、復号し、飛び越し走査映像信号として出力する。５は素材判別回路で、ピックアップ２の出力より、ディスク１に記録された判別フラグを読み取る。
【００３７】
６は第１のアスペクト比変換回路で、第１の制御回路１２により制御され、入力される映像信号のアスペクト比を変換して出力する。７は飛び越し走査映像用モニタ（図示は省略）に対応させるエンコーダ（例えばＮＴＳＣエンコーダ）で、飛び越し走査映像信号をＮＴＳＣビデオフォーマットに変換し出力する。８は飛び越し走査映像出力端子で、これより、再生された飛び越し走査映像出力が、飛び越し走査映像用モニタ（図示は省略）に出力される。
【００３８】
９は順次走査映像信号変換回路で、第１のアスペクト比変換回路６の出力を順次走査映像信号に変換し出力する。１０は色差コンバータで、順次走査映像信号変換回路９の出力を、アナログ色差信号に変換し出力する。
【００３９】
１１は順次走査映像出力端子で、これより変換された順次走査映像信号が、順次走査映像用モニタ（図示は省略）に出力される。
【００４０】
１２は第１の制御回路で、素材判別回路５の出力と、第１のアスペクト比設定手段１３の出力とによって、第１のアスペクト比変換回路６を制御する。１３は第１のアスペクト比設定手段であり、使用者が受像機のアスペクト比を設定する為のものである。
【００４１】
１４は第２のアスペクト比設定手段であり、使用者が受像機のアスペクト比を設定する為のものである。１５は第２の制御回路で、素材判別回路５の出力と、第２のアスペクト比設定手段１４の出力とによって、第２のアスペクト比変換回路１６を制御する。１６は第２のアスペクト比変換回路で、第２の制御回路１５により制御され、入力される映像信号のアスペクト比を変換して出力する。
【００４２】
以上の様に構成された本発明の映像信号再生装置について、さらにその動作を説明する。
【００４３】
図２は、本発明の一実施例の映像信号再生装置のディスク１に記録される映像信号の構造を示す模式図である。飛び越し走査映像信号では、１／６０秒で１フィールドの画像が構成され、それが２枚合わされて１フレームの画像となる。２枚のフィールドの縦画素数はそれぞれ２４０であり、互いの画素はそれぞれの画素の縦方向の間を埋めあう様な配置になる。一方、順次走査映像信号では１フレームが１／６０秒で縦画素数は４８０である。このように、垂直周波数は共に１／６０秒であり、水平走査線数は飛び越し走査映像信号に比べ順次走査映像信号は倍になるので、水平走査周波数は、飛び越し走査映像信号が約１５．７５ＫＨｚであるのに対して、順次走査映像信号では約３１．５ＫＨｚになる。
【００４４】
図３は、本発明の一実施例の映像信号再生装置の映像信号のアスペクト比を示す模式図である。以下、映像信号と、飛び越し走査映像用モニタ及び順次走査映像用モニタとのアスペクト比として、４：３と１６：９との場合を例にとり説明するが、本発明のアスペクト比はこの２つに限定されるものではなく、他のアスペクト比であっても、縦横比が変化するだけで思想は同様であり、作用・効果も全く同様である。図３ａ）に示す様に、ディスク１に記録される映像信号には３つの形態がある。同図ａ−１は、４：３の画面一杯に情報を持つ４：３フル画像であり、同図ａ−２は、４：３の画面の中央部に１６：９の画像を持ち、上下が黒で塗りつぶされた、４：３レターボックス画像であり、同図ａ−３は、１６：９の画面一杯に情報を持つ、１６：９画像である。
【００４５】
図３ｂ）は、飛び越し走査映像信号用モニタのアスペクト比を示す。図３ｂ）に示す様に、飛び越し走査映像信号用モニタには、ｂ−１に示す４：３のアスペクト比のものと、ｂ−２に示す１６：９のアスペクト比のものとがある。
【００４６】
図３ｃ）は、順次走査映像信号用モニタのアスペクト比を示す。３図ｃ）に示す様に、順次走査映像信号用モニタには、ｃ−１に示す４：３のアスペクト比のものと、ｃ−２に示す１６：９のアスペクト比のものとがある。
【００４７】
飛び越し走査映像信号再生回路４は、ディスク１に記録されている信号をピックアップ２の出力から読み取り、飛び越し走査映像を再生し、第１のアスペクト比変換回路６に出力する。素材判別回路５は、判別フラグをピックアップ２の出力から読み取り映像信号の種類を判別し、判別信号として、第１の制御回路１２に出力する。
【００４８】
使用者は、映像信号を出画しようとしている飛び越し走査映像用モニタのアスペクト比を、第１のアスペクト比設定手段１３により設定する。第１の制御回路１２は、素材判別回路５の出力と第１のアスペクト比設定手段１３の出力とによって、第１のアスペクト比変換回路６を制御する。
【００４９】
図４は、本発明の一実施例の映像信号再生装置における第１のアスペクト比変換回路６の動作を説明する模式図である。
【００５０】
第１のアスペクト比変換回路６は、４：３の飛び越し走査映像用モニタを想定し、１６：９のアスペクト比の素材を垂直方向に圧縮する機能を持つ。即ち、１６：９の映像信号（以下素材、もしくは映像ソースとも称す）を４：３のモニタにて、正しいアスペクト比で表示するために、入力される映像信号の４ライン分の情報からフィルタ処理を行い、３ライン分の情報を生成する。このような処理を全画面において行うと、画面全体が上下に圧縮され、アスペクト比的には正しく１６：９の画面に変換できるが、上下に空白部分ができるので、その部分を黒画像とする。このアスペクト比変換機能は、第１の制御回路１２によって、作動と非作動状態を選択する事ができる。非作動の場合には、第１のアスペクト比変換回路６は、入力された映像信号のアスペクト比変換をせずに、そのまま出力する。
【００５１】
図１において、使用者は、出画しようとする飛び越し走査映像用モニタのアスペクト比が、４：３であるか１６：９であるかを第１のアスペクト比設定手段１３で設定する。一方、素材判別回路５は、映像ソースのアスペクト比が４：３フル画像なのか、４：３レターボックス画像なのか、１６：９画像なのかを第１の制御回路１２に出力する。
【００５２】
この第１の制御回路１２は、次の３通りの指令を第１のアスペクト比変換回路６に対して出力する。
（１）素材判別回路５が映像ソースのアスペクト比が、４：３フル画像、もしくは４：３レターボックス画像を示している場合には、第１のアスペクト比変換回路６のアスペクト変換動作を非作動とする。
（２）素材判別回路５が映像ソースのアスペクト比が、１６：９を示している場合で、かつ第１のアスペクト比設定手段１３の出力が１６：９の場合には、第１のアスペクト比変換回路６のアスペクト比変換動作を非作動とする。
（３）素材判別回路５が映像ソースのアスペクト比が、１６：９を示している場合で、かつ第１のアスペクト比設定手段１３の出力が４：３の場合には、第１のアスペクト比変換回路６のアスペクト比変換動作を作動とする。
【００５３】
ＮＴＳＣエンコーダ７は、第１のアスペクト比変換回路６の出力をＮＴＳＣビデオフォーマットに変換し、飛び越し走査映像出力端子８より、飛び越し走査映像出力を図示は省略した飛び越し走査映像用モニタに出力する。
【００５４】
図５は、本発明の一実施例の映像信号再生装置の４：３フル画像の映像ソースの場合の、飛び越し走査映像用モニタに出画されるアスペクト比を説明する模式図である。同図のｂ−１に示すように、４：３のモニタではアスペクト比が正しく表示されている。また、同図ｂ−２に示すように、１６：９のモニタではアスペクト比が正しく表示されず、横に引き延ばされた様に出画されるが、飛び越し走査映像用モニタでは、従来の飛び越し走査映像信号の標準的アスペクト比が４：３のため、４：３出力切り替え機能を装備しており、飛び越し走査映像用モニタに備える４：３出力切り替え機能を使用することによって、同図のｂ−３に示すように、正しく４：３のアスペクト比で表示されるようになる。
【００５５】
図６は、本発明の一実施例の映像信号再生装置の４：３レターボックス画像の映像ソースの場合の、飛び越し走査映像用モニタに出画されるアスペクト比を説明する模式図である。同図のｂ−１に示すように、４：３のモニタではアスペクト比が正しく表示されている。また、同図のｂ−２に示すように、１６：９のモニタではアスペクト比が正しく表示されず、横に引き延ばされた様に出画されるが、飛び越し走査映像用モニタでは、従来の飛び越し走査映像信号の標準的アスペクト比が４：３のため、４：３レターボックス出力切り替え機能を装備しており、飛び越し走査映像用モニタに備える４：３出力切り替え機能を使用することによって、同図のｂ−４に示すように、画面が上下に拡大され、正しく４：３のアスペクト比で画面一杯に表示されるようになる。
【００５６】
図７は、本発明の一実施例の映像信号再生装置の１６：９画像の映像ソースの場合の、飛び越し走査映像用モニタに出画されるアスペクト比を説明する模式図である。同図のｂ−１に示すように、４：３のモニタではそのままではアスペクト比が正しく表示されず、縦に引き延ばされた様に出画されるが、使用者が第１のアスペクト比設定手段１３に接続されるモニタが１６：９である事を設定する事によって、第１のアスペクト比変換回路６が動作し、アスペクト比変換され、同図のｂ−４に示すように正しく表示される。なお、同図のｂ−２に示すように１６：９のモニタを用いる場合では、アスペクト比が正しく１６：９のアスペクト比で表示される。
【００５７】
即ち、飛び越し走査映像用モニタでは、４：３フル画像と、４：３レターボックス画像と、１６：９画像との３種類の映像ソースと、４：３と１６：９との２種類の映像用モニタの全ての組み合わせにおいても、従来技術において図１６〜図１８を参照して説明したと同様に、正しいアスペクト比で出画する事が可能である。
【００５８】
一方、第１のアスペクト比変換回路６の出力は、順次走査映像信号変換回路９に入力される。順次走査映像信号変換回路９では、入力された飛び越し走査映像信号を順次走査映像信号に変換して出力する。
【００５９】
図８は、本発明の一実施例の映像信号再生装置における第２のアスペクト比変換回路１６の動作を説明する模式図である。
【００６０】
先ず、第２のアスペクト比変換回路６は、１６：９の順次走査映像用モニタを想定し、４：３フル画像を水平方向に圧縮する水平アスペクト変換機能を持つ。即ち、４：３の素材を１６：９のモニタにて、正しいアスペクト比で表示するために、入力される映像信号の４画素分の情報からフィルタ処理を行い、３画素分の情報を生成する。このような処理を全画面において行うと、画面全体が左右に圧縮され、アスペクト比的には正しく４：３の画面に変換できるが、左右に空白部分ができるので、その部分を黒画像とする。
【００６１】
また、第２のアスペクト比変換回路６は、１６：９の順次走査映像用モニタを想定し、４：３レターボックス画像を垂直方向に拡大する垂直アスペクト変換機能を持つ。即ち、４：３レターボックス画像を１６：９のモニタにて、正しいアスペクト比で画面一杯に表示するために、入力される映像信号の３ライン素分の情報からフィルタ処理を行い、４ライン分の情報を生成する。このような処理を画面全体において行うと、画面全体が上下に拡大され、正しく１６：９の画面に変換される。
【００６２】
これら２つのアスペクト比変換機能は、第２の制御回路１２によって、それぞれ作動と非作動状態を選択する事ができる。両変換機能共に非作動の場合には、第２のアスペクト比変換回路１６は、入力された映像信号のアスペクト比を変換をせずにそのまま出力する。
【００６３】
図１において、使用者は、出画しようとする順次走査映像用モニタのアスペクト比が４：３であるか１６：９であるかを、第１のアスペクト比設定手段１３及び第２のアスペクト比設定手段１４に設定する。一方、素材判別回路５は、映像ソースのアスペクト比が４：３フル画像なのか、４：３レターボックス画像なのか、１６：９画像なのかを第２の制御回路１５に出力する。
【００６４】
この第２の制御回路１５は、次の４通りの指令を第２のアスペクト比変換回路１６に対して出力する。
（１）素材判別回路５が、映像ソースのアスペクト比が４：３フル画像、もしくは４：３レターボックス画像を示している場合で、かつ第２のアスペクト比設定手段１４の出力が４：３の場合には、第２のアスペクト比変換回路１６の水平アスペクト変換機能と垂直アスペクト変換機能と共に非作動とする。
（２）素材判別回路５が、映像ソースのアスペクト比が４：３フル画像を示している場合で、かつ第２のアスペクト比設定手段１４の出力が１６：９の場合には、第２のアスペクト比変換回路１６の水平アスペクト変換機能を作動とし、垂直アスペクト変換機能を非作動とする。
（３）素材判別回路５が、映像ソースのアスペクト比が４：３レターボックス画像を示している場合で、かつ第２のアスペクト比設定手段１４の出力が１６：９の場合には、第２のアスペクト比変換回路１６の垂直アスペクト変換機能を作動とし、水平アスペクト変換機能を非作動とする。
（４）素材判別回路５が、映像ソースのアスペクト比が１６：９画像を示している場合には、第１のアスペクト比変換回路１６の水平アスペクト比変換機能と垂直アスペクト変換機能と共に非作動とする。
【００６５】
色差コンバータ１０は、順次走査映像信号を色差映像信号に変換し、順次走査映像出力端子１１より、順次走査映像出力が図示は省略した順次走査映像用モニタに出力される。
【００６６】
図９は、本発明の一実施例の映像信号再生装置における４：３フル画像の映像ソースの場合の、順次走査映像用モニタに出画されるアスペクト比を説明する模式図である。同図のｃ−１に示すように、４：３のモニタではアスペクト比が正しく表示されている。ところが、同図のｃ−２に示すように、１６：９のモニタでは映像ソースそのままのアスペクト比では正しく表示されず、横に引き延ばされた様に出画される。順次走査映像用の１６：９のモニタは、ハイビジョン信号を想定したモニタで、ハイビジョン映像信号の標準的アスペクト比が１６：９のため、４：３出力モードを装備しておらず、正しいアスペクト比で表示されない。しかしこの場合、使用者が、第１のアスペクト比設定手段１３及び第２のアスペクト比設定手段１４に接続されるモニタが１６：９である事を設定する事によって、第２のアスペクト変換回路１６の水平アスペクト比変換機能が作動し、同図のｃ−３に示すように、正しいアスペクト比に変換された画像を表示する事ができる。
【００６７】
図１０は、本発明の一実施例の映像信号再生装置における４：３レターボックス画像の映像ソースの場合の、順次走査映像用モニタに出画されるアスペクト比を説明する模式図である。同図のｃ−１に示すように、４：３のモニタではアスペクト比が正しく表示されている。ところが、同図のｃ−２に示すように、１６：９のモニタでは映像ソースそのままのアスペクト比では正しく表示されず、横に引き延ばされた様に出画される。上述したように、順次走査映像用の１６：９のモニタは、ハイビジョン信号を想定したモニタで、ハイビジョン映像信号の標準的アスペクト比が１６：９のため、４：３出力モードを装備しておらず、正しいアスペクト比で表示されない。しかしこの場合、使用者が、第１のアスペクト比設定手段１３及び第２のアスペクト比設定手段１４に接続されるモニタが１６：９である事を設定する事によって、第２のアスペクト変換回路１６の垂直アスペクト比変換機能が作動し、同図のｃ−４に示すように、正しいアスペクト比で、かつ画面一杯に変換された画像を表示する事ができる。
【００６８】
図１１は、本発明の一実施例の映像信号再生装置における１６：９画像の映像ソースの場合の、順次走査映像用モニタに出画されるアスペクト比を説明する模式図である。同図のｃ−１に示すように、４：３のモニタではそのままではアスペクト比が正しく表示されず、縦に引き延ばされた様に出画されるが、使用者が第１のアスペクト比設定手段１３および第２のアスペクト比設定手段１４に接続されるモニタが４：３である事を設定する事によって、第１のアスペクト比変換回路６が動作し、アスペクト比変換されて同図のｃ−４に示すように正しく表示される。また、同図のｃ−３に示すように、１６：９のモニタでは、アスペクト比が正しく１６：９のアスペクト比で表示される。
【００６９】
即ち、本発明の一実施例の映像信号再生装置では、順次走査映像用モニタにおいても、４：３フル画像、４：３レターボックス画像及び１６：９画像の映像ソースと、４：３及び１６：９の映像用モニタとの全ての組み合わせにおいて、正しいアスペクト比で出画する事ができ、飛び越し走査と順次走査で画像の見え方が異ならない様に同時に出力ができる。
【００７０】
なお、本実施例では、映像ソースとして４：３フル画像及び４：３レターボックス画像及び１６：９画像の３種類で説明したが、これは、ソースのアスペクト比の種類に応じて、第２のアスペクト比変換回路のアスペクト変換機能を変えれば、アスペクト比は限定されるものではなく、アスペクト比が３種類以上の場合においても応用ができるものである。
【００７１】
また、図１において、符号４以降の各構成要因は、本実施例では回路の形態としたが、これらはソフトウエアでの置き換えも可能なものである。
【００７２】
更に、本実施例ではディスク媒体に記録された映像信号において説明を行ったが、これは、他のテープ媒体や、衛星放送、地上波放送等の映像信号を含んだ情報信号においても、同様に応用できるものである。
【００７３】
【発明の効果】
以上のように本発明によれば、飛び越し走査映像用モニタに変換する第１のアスペクト比変換回路に加え、順次走査映像信号変換後に水平方向に画像圧縮もしくは垂直方向に画像拡大する第２のアスペクト比変換回路と順次走査映像信号を出画する受像器の画面アスペクト比を設定する為の第２のアスペクト比設定手段と、第２のアスペクト比設定回路と素材判別回路により第２のアスペクト比変換回路を制御する第２の制御回路とを設けることにより、複数種の映像信号のアスペクト比の映像を、飛び越し走査映像用モニタ及び順次走査映像用モニタの何れに対しても、正しいアスペクト比で出画する事が可能で、飛び越し走査と順次走査で画像の見え方が異ならない様に同時に出力する事が可能な映像信号再生装置が得られる。
【図面の簡単な説明】
【図１】本発明の一実施例の映像信号再生装置の構成を示すブロック図
【図２】本発明の一実施例の映像信号再生装置のディスクに記録される映像信号の構造を示す模式図
【図３】本発明の一実施例の映像信号再生装置の映像信号のアスペクト比を示す模式図
【図４】本発明の一実施例の映像信号再生装置の第１のアスペクト比変換回路の動作を説明する模式図
【図５】本発明の一実施例の映像信号再生装置の４：３フル画像の映像ソースの場合の飛び越し走査映像用モニタに出画されるアスペクト比を説明する模式図
【図６】本発明の一実施例の映像信号再生装置の４：３レターボックス画像の映像ソースの場合の飛び越し走査映像用モニタに出画されるアスペクト比を説明する模式図
【図７】本発明の一実施例の映像信号再生装置の１６：９画像の映像ソースの場合の飛び越し走査映像用モニタに出画されるアスペクト比を説明する模式図
【図８】本発明の一実施例の映像信号再生装置の第２のアスペクト比変換回路の動作を説明する模式図
【図９】本発明の一実施例の映像信号再生装置の４：３フル画像の映像ソースの場合の順次走査映像用モニタに出画されるアスペクト比を説明する模式図
【図１０】本発明の一実施例の映像信号再生装置の４：３レターボックス画像の映像ソースの場合の順次走査映像用モニタに出画されるアスペクト比を説明する模式図
【図１１】本発明の一実施例の映像信号再生装置の１６：９画像の映像ソースの場合の順次走査映像用モニタに出画されるアスペクト比を説明する模式図
【図１２】従来の映像信号再生装置の構成を示すブロック図
【図１３】従来の映像信号再生装置のディスクに記録される映像信号の構造を示す模式図
【図１４】従来の映像信号再生装置の映像信号のアスペクト比を示す模式図
【図１５】従来の映像信号再生装置の第１のアスペクト比変換回路の動作を説明する模式図
【図１６】従来の映像信号再生装置の４：３フル画像の映像ソースの場合の飛び越し走査映像用モニタに出画されるアスペクト比を説明する模式図
【図１７】従来の映像信号再生装置の４：３レターボックス画像の映像ソースの場合の飛び越し走査映像用モニタに出画されるアスペクト比を説明する模式図
【図１８】従来の映像信号再生装置の１６：９画像の映像ソースの場合の飛び越し走査映像用モニタに出画されるアスペクト比を説明する模式図
【図１９】従来の映像信号再生装置の４：３フル画像の映像ソースの場合の順次走査映像用モニタに出画されるアスペクト比を説明する模式図
【図２０】従来の映像信号再生装置の４：３レターボックス画像の映像ソースの場合の順次走査映像用モニタに出画されるアスペクト比を説明する模式図
【図２１】従来の映像信号再生装置の１６：９画像の映像ソースの場合の順次走査映像用モニタに出画されるアスペクト比を説明する模式図
【符号の説明】
１  ディスク
２  ピックアップ
３  ディスク回転装置
４  飛び越し走査映像信号再生回路
５  素材判別回路
６  第１のアスペクト比変換回路
７  ＮＴＳＣエンコーダ
８  飛び越し走査映像出力端子
９  順次走査映像信号変換回路
１０  色差コンバータ
１１  順次走査映像出力端子
１２  第１の制御回路
１３  第１のアスペクト比設定手段
１４  第２のアスペクト比設定手段
１５  第２の制御回路
１６  第２のアスペクト比変換回路
【図１】
0003601336.tif 000002
【図２】
0003601336.tif 000003
【図３】
0003601336.tif 000004
【図４】
0003601336.tif 000005
【図５】
0003601336.tif 000006
【図６】
0003601336.tif 000007
【図７】
0003601336.tif 000008
【図８】
0003601336.tif 000009
【図９】
0003601336.tif 000010
【図１０】
0003601336.tif 000011
【図１１】
0003601336.tif 000012
【図１２】
0003601336.tif 000013
【図１３】
0003601336.tif 000014
【図１４】
0003601336.tif 000015
【図１５】
0003601336.tif 000016
【図１６】
0003601336.tif 000017
【図１７】
0003601336.tif 000018
【図１８】
0003601336.tif 000019
【図１９】
0003601336.tif 000020
【図２０】
0003601336.tif 000021
【図２１】
0003601336.tif 000022